(57)【特許請求の範囲】
【請求項１】
遊技球が流下する遊技領域が前面に形成される板状部材と、当該板状部材をその背面で支持する土台部材とから成る合成樹脂製の遊技盤を有したパチンコ機であって、
前記土台部材において、前記板状部材を位置決めするための基準ボス部を前記遊技領域外となる位置に設けるとともに、前記基準ボス部から鉛直方向で前記遊技領域を挟んだ位置に、前記板状部材を位置決めするための調節ボス部を設ける一方、
前記板状部材において、前記基準ボス部を嵌合可能な基準ボス受け部と前記調節ボス部を嵌合可能な調節ボス受け部とを設け、
さらに、前記基準ボス部を柱状の軸部から上下左右にリブ片を突設させて形成する一方、前記調節ボス部を柱状の軸部から左右方向へのみ前記基準ボス部と同様のリブ片を突設させて形成することにより、前記調節ボス部と前記調節ボス受け部との間の上下方向の遊びを、前記基準ボス部と前記基準ボス受け部との間の上下方向の遊びよりも大きくしたことを特徴とするパチンコ機。
【請求項２】
前記基準ボス受け部を、略正円状に形成された凹部又は孔部とする一方、
前記調節ボス受け部を、上下方向に長い長円状に形成された凹部又は孔部とすることにより、
前記調節ボス部と前記調節ボス受け部との上下方向の遊びを、前記基準ボス部と前記基準ボス受け部との上下方向の遊びよりも大きくしたことを特徴とする請求項１に記載のパチンコ機。
【請求項３】
前記土台部材の前面に、前記板状部材を嵌め込み可能な凹状の嵌め込み部を設け、前記嵌め込み部内に、前記基準ボス部を含めて左右方向へ複数のボス部を設けるとともに、前記板状部材に前記ボス部を嵌合可能なボス受け部を設け、前記ボス部と前記ボス受け部との間の左右方向における遊びを、前記基準ボス部からの距離に比例して大きくなるようにする一方、
前記嵌め込み部の下辺部に、上方へ突出する複数の突起部を設け、前記嵌め込み部に嵌め込まれた前記板状部材を前記突起部の先端で支持可能としたことを特徴とする請求項１又は２に記載のパチンコ機。
【請求項４】
前記遊技盤の前面に、遊技球発射装置によって発射された遊技球を前記遊技領域の下部から上部へ導くための一対のレール部材が設置されており、前記基準ボス部を前記レール部材の前記遊技領域の下部側の端部近傍に設けたことを特徴とする請求項１〜３の何れかに記載のパチンコ機。
【発明の詳細な説明】
【技術分野】
【０００１】
本発明は、ボス部とボス受け部との嵌合によって位置決めされる遊技盤を有するパチンコ機に関するものである。
【背景技術】
【０００２】
近年、少なくとも一部分が透明な熱可塑性の合成樹脂で形成された板状部材と、その板状部材の外周を略覆うと共に、その板状部材を着脱可能に嵌合する嵌合段部を備えた土台部材とから成る遊技盤を備えたパチンコ機が考案されている。
この合成樹脂により形成された板状部材は熱や外力で変形しやすいため、板状部材に設けるボス受け部の形状を、その設置位置に応じて異ならせることで、温度変化に起因した板状部材の伸縮に伴う歪みを抑制するといった技術が考案されている。例えば特許文献１には、ボス受け部の形状を、板状部材の上部の外周近傍においては丸孔とし、板状部材の左右下部の外周近傍においては上下方向に伸びた長孔としている。
すなわち、特許文献１に記載のパチンコ機は、板状部材が温度変化や経時変化等によって伸縮した場合、板状部材の長孔型のボス受け部において固定位置を可動させ伸縮を許容することで、歪みを防止しようとしているものである。
【０００３】
【特許文献１】特開２００８−４０３号公報
【発明の開示】
【発明が解決しようとする課題】
【０００４】
しかしながら、特許文献１に記載のパチンコ機は、長孔型のボス受け部によって、上下方向の伸縮に起因する歪みは防止できるものの、長孔型のボス受け部に上下方向以外の応力が加わると歪みを解消することができなかった。
【０００５】
そこで、本発明は、上記問題を解決すべくなされたものであって、板状部材の上下方向に設けられた複数のボス受け部と、同じく土台部材の上下方向に設けられた複数のボス部との嵌合状態を調節することによって、遊技盤における歪みの問題を効果的に解消できるパチンコ機を提供しようとするものである。
【課題を解決するための手段】
【０００６】
かかる本発明のうち請求項１に記載された発明は、遊技球が流下する遊技領域が前面に形成される板状部材と、当該板状部材をその背面で支持する土台部材とから成る合成樹脂製の遊技盤を有したパチンコ機であって、前記土台部材において、前記板状部材を位置決めするための基準ボス部を前記遊技領域外となる位置に設けるとともに、前記基準ボス部から鉛直方向で前記遊技領域を挟んだ位置に、前記板状部材を位置決めするための調節ボス部を設ける一方、前記板状部材において、前記基準ボス部を嵌合可能な基準ボス受け部と前記調節ボス部を嵌合可能な調節ボス受け部とを設け、さらに、前記基準ボス部を柱状の軸部から上下左右にリブ片を突設させて形成する一方、前記調節ボス部を柱状の軸部から左右方向へのみ前記基準ボス部と同様のリブ片を突設させて形成することにより、前記調節ボス部と前記調節ボス受け部との間の上下方向の遊びを、前記基準ボス部と前記基準ボス受け部との間の上下方向の遊びよりも大きくしたことを特徴とする。
【０００７】
請求項２に記載された発明は、請求項１に記載された発明において、前記基準ボス受け部を、略正円状に形成された凹部又は孔部とする一方、前記調節ボス受け部を、上下方向に長い長円状に形成された凹部又は孔部とすることにより、前記調節ボス部と前記調節ボス受け部との上下方向の遊びを、前記基準ボス部と前記基準ボス受け部との上下方向の遊びよりも大きくしたことを特徴とする。
【０００８】
請求項３に記載された発明は、請求項１又は２に記載された発明において、前記土台部材の前面に、前記板状部材を嵌め込み可能な凹状の嵌め込み部を設け、前記嵌め込み部内に、前記基準ボス部を含めて左右方向へ複数のボス部を設けるとともに、前記板状部材に前記ボス部を嵌合可能なボス受け部を設け、前記ボス部と前記ボス受け部との間の左右方向における遊びを、前記基準ボス部からの距離に比例して大きくなるようにする一方、前記嵌め込み部の下辺部に、上方へ突出する複数の突起部を設け、前記嵌め込み部に嵌め込まれた前記板状部材を前記突起部の先端で支持可能としたことを特徴とする。
【０００９】
請求項４に記載された発明は、請求項１〜３に記載された発明において、前記遊技盤の前面に、遊技球発射装置によって発射された遊技球を前記遊技領域の下部から上部へ導くための一対のレール部材が設置されており、前記基準ボス部を前記レール部材の前記遊技領域の下部側の端部近傍に設けたことを特徴とする。
【発明の効果】
【００１０】
請求項１に記載の発明によれば、土台部材上に設けられた基準ボス部、及びその鉛直方向で遊技領域を挟んだ位置に設けられた調節ボス部は、板状部材上のそれぞれのボス部が接する位置に穿設された各ボス受け部に嵌合させることで、土台部材と板状部材との位置決めを可能にするとともに、それぞれのボス部と対応するボス受け部との上下方向の遊びの調節により、遊技盤の上下方向における膨張または伸縮が許容され、遊技領域に歪みが生じにくい。
また、調節ボス部は、柱状の軸部から上下方向に突出するリブ片を無くすか、もしくはその突出量をかなり少なくして形成しているため、調節ボス部と調節ボス受け部との関係において、左右方向では基準ボス部と基準ボス受け部同様に遊びを小さくすることを可能とし、上下方向では遊びを大きくすることを可能としている。
【００１１】
請求項２に記載の発明によれば、調節ボス部に対応する調節ボス受け部の形状を、上下方向において縦長に形成している。この形状によって、板状部材は上下方向にズレることを寛容されるため、板状部材が熱によって上下方向に膨張または収縮した場合でも、その変形が無理に押さえられて歪みを生じることがない。
【００１２】
請求項３に記載の発明によれば、土台部材の前面に、板状部材を嵌め込み可能な凹状の嵌め込み部を設け、嵌め込み部内に、基準ボス部を含めて左右方向へ複数のボス部を設けるとともに、板状部材にボス部を嵌合可能なボス受け部を設け、ボス部とボス受け部との間の左右方向における遊びを、基準ボス部からの距離に比例して大きくなるようにしているため、遊技盤の左右方向における膨張または伸縮に対応することができる。
また、嵌め込み部の下辺部に、上方へ突出する複数の突起部を設け、嵌め込み部に嵌め込まれた板状部材を突起部の先端で支持可能としているため、板状部材の下辺と土台部材の嵌め込み部の内周とが、面と面とで接しており、熱膨張によって遊技盤が横方向へ移動しようとする時に、大きな摩擦を生じてしまう従来の構成と比較して、板状部材と土台部材との間であまり摩擦が生じない。したがって、板状部材の熱膨張による右側への移動が妨げられることがなく、その結果板状部材に反りが生じにくい。
【００１３】
請求項４に記載のパチンコ機によれば、基準ボス部と基準ボス受け部との嵌合状態に比較して、調節ボス部と調節ボス受け部との嵌合状態における遊びが大きくなるように調節されているので、発射レール入口付近の板状部材と土台部材の間には位置ズレが生じにくく、遊技球の発射精度をより安定させることができる。それに加え、遊技球発射装置から発射された遊技球がレール部材に衝突したとしても、その衝突によって位置ズレが生じることを抑制することができる。
また、遊技盤上部の調節ボス部と調節ボス受け部との遊びが大きくなるように調節しているため、遊技盤の上下方向における膨張または収縮が無理に抑えられず、遊技盤の歪みを効果的に抑制することができる。  
【発明を実施するための最良の形態】
【００１４】
以下、本発明のパチンコ機の一実施形態について、図面に基いて詳細に説明する。
【００１５】
（本体の説明）
図１におけるパチンコ機１は、パチンコ機１本体を支持する機枠２に、金属製のフレーム部材であるミドル枠（図示せず）を介して遊技盤１０を設置すると共に、該遊技盤１０の前方を閉塞可能な前扉３を片開き自在に取り付けてなるものである。そして、該前扉３により閉塞される遊技盤１０の前方空間（遊技盤１０の前面）を、遊技球が流下する略円形の遊技領域１１としている。
【００１６】
遊技領域１１は、円弧状に配設された外レール１２や内レール１３等により囲まれており、当該遊技領域１１へは、外レール１２と内レール１３との間に形成される発射通路を介して遊技球を打ち込み可能となっている。また、遊技領域１１の略中央には、「０」〜「９」の数字や絵柄等からなる「図柄」を表示する図柄表示領域２２や、遊技球を左右へ揺動させるステージ部材２０が設置されていると共に、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
また、遊技領域には、多数の遊技釘（図示せず）、遊技球が通過可能なゲート部材１４、一対の爪片を開閉動作可能に備えたチューリップ式電動役物１５、開閉可能な扉部材を有する大入賞装置１６、遊技球が入賞可能な入賞部材１７、１７・・、風車１８等が設置されている。
【００１７】
遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「図柄」を図柄表示領域２２内に表示させるための液晶表示装置（表示装置）、遊技に係る制御（例えば、所謂「大当たり抽選」や液晶表示装置における表示制御等）を行う制御装置等が設置されている。
【００１８】
以上のようなパチンコ機１では、遊技者によって発射ハンドル６が回動操作されると、発射装置が作動して遊技球が遊技領域１１内へ打ち込まれる。そして、遊技領域を流下する遊技球がチューリップ式電動役物１５へ入賞すると、制御装置にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１９】
以下、本発明の遊技盤の構成について、図２〜６に基いて詳細に説明する。図２は、板状部材３１と土台部材３２とから成る遊技盤１０を前面側から示した説明図であり、図３は、板状部材３１を示した図であり、図４は、土台部材３２を示した図である。さらに、図５は、図２に示した遊技盤１０の上部の拡大図であり、図６は、基準ボス部８１と対応する基準ボス受け部９１との挿通状態、及び調節ボス部８２と対応する調節ボス受け部９２との挿通状態を示した拡大図である。
【００２０】
遊技盤１０は、一枚板状に形成された板状部材３１と、該板状部材３１の後面側で、該板状部材３１全体を嵌め込んで固着される土台部材３２とからなる。
板状部材３１は、アクリル樹脂から成形された透明な略円形の板状体であって、その前面には、複数の障害釘が植設されている。また、板状部材３１は、下部には略正円形状の基準ボス受け部９１が穿設され、さらにその鉛直上方の外レール近傍には上下に伸びる長円形状の調節ボス受け部９２が穿設されている。
【００２１】
土台部材３２は、板状部材３１よりも耐熱性の高い合成樹脂（例えば、ポリカーボネート）により成形され、正面から見た際に、左上隅部、右上隅部、左下隅部、及び右下隅部にそれぞれ対応する格子部材５１，５２，５３，及び５４を連結してなる。各格子部材５１〜５４は、厚さ略２ｍｍの底板部分から高さ略１２ｍｍのリブ片を突出させ、また上下方向及び左右方向に直交させた格子構造を備えている。
また、土台部材３２の前面側の内周縁には、板状部材３１と同形の凹状の嵌め込み部３３が、面上から約９ｍｍの深さで形成されている。さらに、土台部材３２の嵌め込み部３３内には、前面側から見て、基準ボス部８１が外レール１２下端部近傍に設置され、その鉛直上方には調節ボス部８２が設置されている。
【００２２】
左上隅部の格子部材５１は、略円弧状の一辺を持つ略三角形状で、右上隅部の格子部材５２と接する右端部には、格子部材５２の凹部内へ嵌入可能な凸部を、左下隅部の格子部材５３と接する下端部には凹部をそれぞれ有している。
また、格子部材５１の右半分は、土台部材３２の組み立て状態において嵌め込み部３３を形成する凹状の段部３３ａとされており、当該段部３３ａ内には、調節ボス部８２が設けられている。
そして、調節ボス部８２は、円筒形の軸部から左右方向にのみリブ片を突設してなるもので、ボス部の左右方向のリブ片と調節ボス受け部９２との隙間の幅をＸとした場合、その幅Ｘを０．１５ｍｍとする一方、上下方向にはリブ片を設けていない（図６（ｂ））。
【００２３】
右上隅部の格子部材５２は、上記格子部材５１同様の略三角形状で、左上隅部の格子部材５１と接する左端部には凹部を、右下隅部の格子部材５４と接する下端部には、格子部材５４の凹部内へ嵌入可能な凸部をそれぞれ有している。また、格子部材５１の左半分は、土台部材３２の組み立て状態において嵌め込み部３３を形成する凹状の段部３３ｂとされている。さらに、該格子部材５２の上部右側縁は、遊技盤１０をミドル枠に設置するための切り欠きが形成されている。
【００２４】
左下隅部の格子部材５３は、上記格子部材５１同様の略三角形状で、左上隅部の格子部材５１と接する上端部には、格子部材５１の凹部内へ嵌入可能な凸部を、右下隅部の格子部材５４と接する右端部には、格子部材５４の凹部内へ嵌入可能な凸部をそれぞれ有している。また、格子部材５３の右半分は、土台部材３２の組み立て状態において嵌め込み部３３を形成する凹状の段部３３ｃとされており、当該段部３３ｃ内の外レール１２の発射入口近傍には、基準ボス部８１が設けられている。
そして、基準ボス部８１は、円筒形の軸部からリブ片をボス部の上下左右へ突設してなるもので、その左右方向の基準ボス受け部９１との隙間の幅Ｘは、調節ボス部８２と同様に０．１５ｍｍとし、上下方向の隙間の幅Ｙは０．１５ｍｍとしている（図６（ａ））。
さらに、格子部材５３前面に形成された嵌め込み部３３の下辺部には、突起部８０，８０・・が一定間隔で設けられている。当該突起部８０，８０・・は、板状部材３１に接する先端部分が基端部分より幅狭且つ丸みを帯びて形成されており、板状部材３１を土台部材３２に嵌め込んだ際に、その突起部８０，８０・・の先端で板状部材３１を支持可能としている。
【００２５】
右下隅部の格子部材５４は、上記格子部材５１同様の略三角形状で、右上隅部の格子部材５２と接する上端部には凹部を、左下隅部の格子部材５３と接する左端部には凹部をそれぞれ有している。また、該格子部材５４の下部右側縁は、遊技盤１０をミドル枠に設置するための切り欠きが形成されている。
また、格子部材５４の左半分は、土台部材３２の組み立て状態において嵌め込み部３３を形成する凹状の段部３３ｄとされている。
さらに、格子部材５４の嵌め込み部３３の下辺部には、格子部材５３同様に、半球状の突起部８０，８０・・が一定間隔で設けられている。
【００２６】
そして格子部材５１〜５４を、各凸部を対応する凹部に嵌入させ、ネジ止めして一体化することにより、リング状の土台部材３２が形成される。
なお、各格子部材５１〜５４の凸部および凹部には、両者を連結状態で固定するためのネジ（図示せず）を挿入可能なネジ孔が穿設されている。
【００２７】
以上のように構成される板状部材３１と土台部材３２とは、土台部材３２の前面に設けられた嵌め込み部３３の嵌め込みに加え、土台部材３２の前面に設けられた基準ボス部８１及び調節ボス部８２と、板状部材３１に設けられた基準ボス受け部９１及び調節ボス受け部９２とをそれぞれ嵌合させることで位置決めされ、さらに板状部材３１と土台部材３２との重なり部分をネジ止めすることで、遊技盤１０が形成されている。
上述したように遊技盤１０の形成の際、嵌合状態になった調節ボス部８２と調節ボス受け部９２とは、調節ボス部８２が上下方向にはリブ片を突出せず、また調節ボス受け部９２が上下方向の縦長に形成されているため、上下方向における遊びが大きくなっている（図６（ｂ））。
さらに、同様に嵌合状態になった基準ボス部８１と基準ボス受け部９１とは、基準ボス部８１が四方向の全てにリブ片を多く突出するように形成されているため、基準ボス受け部９１との遊びが全ての方向において小さくなっている（図６（ａ））。
【００２８】
本発明に係る基準ボス部と調節ボス部との位置関係は、基準ボス部の左右端部から鉛直方向への直線上に、調節ボス部の左右端部のいずれかが接するようにすれば、板状部材３１の歪みを抑制する効果を果たすことができる。
望ましくは、基準ボス部の中心から遊技盤の鉛直方向への直線上に、調節ボス部の左右端部のいずれかが接するように位置することで、さらに望ましくは、基準ボス部の中心から遊技盤の鉛直方向への直線上に調節ボス部の中心が位置することである。
【００２９】
（実施例のパチンコ機の効果）
上述の如き本実施形態に係るパチンコ機１によれば、基準ボス部８１と基準ボス受け部９１とは、上下と左右のいずれの方向においても殆ど隙間を生じず、また、調節ボス部８２と調節ボス受け部９２とは、左右方向においては殆ど隙間を生じていないが、上下方向においては隙間にかなり余裕がある。
すなわち、基準ボス部８１と基準ボス受け部９１との嵌合状態は、他のボス部とボス受け部との嵌合状態に比べ最も遊びが少なくなるように調節されているため、板状部材３１に温度変化が生じた場合には、その基準ボス部９１を中心として放射状に膨張または伸縮が生じる。そして、板状部材３１の左側にのみボス部とボス受け部とが設けられているため、板状部材３１の右側においてはその膨張または伸縮が抑制されることがなく、基準ボス部８１から左右方向もしくは斜め方向においては歪みが生じにくい。
さらに、本実施例においては、縦方向に生じた膨張または伸縮に対しては、基準ボス部８１から鉛直上方に調節ボス部８２を設け、それに対応する調節ボス受け部９２を上下方向に伸びた長孔に形成し、調節ボス部８２を調節ボス受け部９２内で移動可能にすることによって、板状部材３１の上下方向における膨張もしくは伸縮を許容し、その結果歪みが生じることを防止している。
なお、上記実施例の場合において、基準ボス部８１の左右のリブ片は基準ボス受け部９１と当接していてもよく、さらには調節ボス部８２の左右のリブ片が調節ボス受け部９２と当接していてもよい。その際には、本発明の目的を果たすために、調節ボス部８２を基準ボス部８１の鉛直上方に設けることが必要である。
【００３０】
そして、上述した特徴により、板状部材３１の熱による伸縮に起因してレール部材の下部側の端部が位置ズレを起こすことがなく、遊技球発射装置からレール部材間への遊技球の打ち込みが安定する。また、発射された遊技球の衝突で負荷がかかりやすいレール部材の下部側端部は、当該衝突による位置ズレを生じることが抑えられる。
【００３１】
また、上記実施例のパチンコ機１においては、基準ボス部８１と調節ボス部８２とが板状部材３１の左側に設置されているので、基準ボス部８１と調節ボス部８２の右側部分は膨張または収縮が押さえ込まれることがなく、その結果板状部材３１の左右方向においても歪みが生じにくくなっている。
【００３２】
またさらに、板状部材３１を土台部材３２に嵌め込むタイプの遊技盤１０の場合、従来の構成を採用するならば、遊技盤１０を直立状態で設置した際には、土台部材３２の嵌め込み部３３の内周と板状部材３１の外周とが全面で接地してしまい、遊技盤１０が横方向へ移動しようとする時に、大きな摩擦を生じてしまう。
しかしながら、本実施例中のパチンコ機１では、板状部材３１はその下辺において、土台部材３２の嵌め込み部３３の内周と、突起部８０、８０・・によって接している。従って、板状部材３１の下辺と、土台部材３２の嵌め込み部３３の内周が、面と面とで接している従来の場合と比較して、本実施例においては、膨張または収縮によって板状部材３１が右方向に動く場合、板状部材３１と土台部材３２との間であまり摩擦が生じず、板状部材３１の膨張または収縮による右側への移動が妨げられない為、その結果板状部材３１に歪みが生じにくい。
【００３３】
（パチンコ機の変更例）
なお、本発明のパチンコ機１の構成は、上記実施形態の態様に何ら限定されるものではなく、基準ボス部８１，調節ボス部８２、基準ボス受け部９１，調節ボス受け部９２、及び突起部８０，８０・・の形状・構造等の構成を、本発明の趣旨を逸脱しない範囲で適宜変更することができる。
【００３４】
本実施例においては、遊技盤１０を構成する土台部材３２は、板状部材３１を嵌め込む嵌め込み部３３を設けた形態を採用しているが、それに限らず、板状部材３１の後面に固定するタイプならば板状部材３１と同形のものでも構わない。
【００３５】
また、本実施例において、基準ボス部８１及び調節ボス部８２の素材には、土台部材３２と同じポリカーボネート樹脂を採用し一体成形しているが、耐熱性プラスチックを採用し別成形した後に固着することも可能である。さらに、エポキシ系樹脂、フェノール系樹脂、メラミン系樹脂、尿素系樹脂等のいずれかを用いてもよい。
【００３６】
さらに、ボス部とそれに対応するボス受け部との個数は、３個に限定されない。板状部材３１が膨張または収縮によって上方に移動することが妨げられず、その結果、板状部材３１の上下方向に歪みが生じにくい効果を維持できるならば、さらに個数を増加してもかまわない。
その場合、基準となるボス部からの距離に反比例させて、他のボス部における上下リブ片の突出量を小さくすることが望ましい。
【００３７】
また、本実施例においては、複数のボス部を遊技盤１０の左端に設け、左端下部に位置したボス部を基準ボス部８１としているが、他の実施例においては必ずしもこれに限定されず、また複数のボス部を右端に設けてもよい。その際には、最も遊びの少ない基準ボス部を何処に設置してもよいが、その鉛直方向には基準ボス部よりも遊びを生じさせる調節ボス部を設けることが必要である。
【００３８】
なお、本実施例では、上下方向にのみ複数のボス部が設けられたパチンコ機１について記載しているが、同時に左右方向にも複数のボス部６２，６３を設けることが可能である（図２，図４）。その場合には、略横方向に設けたボス部６２，６３の左右方向における遊びを、基準となるボス部８１からの距離に比例して大きくなるように調節することで、板状部材３１が熱膨張又は収縮した際に生じる各ボス受け部９１，７２，７３間の左右方向における間隔の広がりに対応できる。
また、各ボス部８１，６２，６３における左右方向の遊びを異ならせる方法としては、ボス部の柱状の軸部から上下左右に突設させたリブ片のうち、基準となるボス部８１からの距離に反比例させて、他のボス部６２，６３の左右のリブ片の突出量を異ならせ、それぞれのボス受け部７２，７３との遊びを調節する方法を用いることができる。
【００３９】
また、突起部８０、８０・・は、上記実施例の如く、突起部８０、８０・・を土台部材３２に一体的に成形したものに限定されず、別個に形成された突起部８０、８０・・を接着する方法等の、一体成形とは他の方法によって土台部材に突起部を設けたものでもよい。
さらに、突起部８０、８０・・の材質は、土台部材３２と同じ材質（合成樹脂等）である必要はなく、土台部材３２の材質と異ならせることも可能である。加えて、その様に突起部８０、８０・・の材質を土台部材３２と異ならせる場合には、突起部８０、８０・・の材質を、突起部と接する板状部材３２との間に摩擦が生じにくいような素材（すなわち、合成ゴムや天然ゴム等の摩擦係数が高い弾性材料を除く）とすることが好ましい。
かかる構成を採用することによって、板状部材３１は、横方向に膨張または収縮する際に、板状部材３１と突起部８０、８０・・との間に生じる摩擦によって、板状部材３１の横方向への動きが抑制されることなく、歪みが生じにくい。
【００４０】
さらに、突起部８０、８０・・は、上記実施形態の如く、突起部を等間隔で設けたものに限定されず、突起部同士の間隔や配置や、突起部の数を必要に応じて適宜変更することができる。加えて、突起部の形状は、上記実施形態の如く、半球状のものでもよいが、それに限定されず、四角形状のもの、もしくは三角形、あるいは円柱状のベース部の先端に半球状の当節部分を設けたＵ字形ものを用いることも可能で、必要に応じて適宜変更することができる。
【図面の簡単な説明】
【００４１】
【図１】パチンコ機の前面を示した説明図である。
【図２】板状部材と土台部材とからなる遊技盤の説明図である。
【図３】板状部材の説明図である。
【図４】土台部材の説明図である。
【図５】遊技盤上部の拡大図である。
【図６】（ａ）基準ボス部８１と基準ボス受け部９１とを挿通させた状態の拡大図、（ｂ）調節ボス部８２と調節ボス受け部９２とを挿通させた状態の拡大図である。
【符号の説明】
【００４２】
１・・パチンコ機、１０・・遊技盤、１２・・外レール（レール部材）、１３・・内レール（レール部材）、３１・・板状部材、３２・・土台部材、８１・・基準ボス部、８２・・調節ボス部、９１・・基準ボス受け部、９２・・調節ボス受け部。
【図１】
0005110647.tif 000002
【図２】
0005110647.tif 000003
【図３】
0005110647.tif 000004
【図４】
0005110647.tif 000005
【図５】
0005110647.tif 000006
【図６】
0005110647.tif 000007